(57)【要約】      （修正有）【課題】紙媒体の優れた特長を有するとともに、視覚や聴覚に対しても効果的なアピールが可能であり、操作が極めて容易であるため情報端末等に不慣れな人に対しても、商品の特長等を十分に説明でき、さらに、コスト面でも比較的安価である等の長所を有するデジタルカタログを提供する。【解決手段】映像再生機器によって再生される画像を表示可能なデジタルページと、情報が印刷された通常ページとから構成された複合丁と、表裏２ページに情報が印刷された通常ページからなる通常の丁を少なくとも有し、複合丁は映像再生機器と当該映像再生機器を包装する外枠とを有し、映像再生機器は、ディスプレイやデータ通信用端子等を備える。外枠は、デジタルディスプレイを表示するためのディスプレイ窓をひとつの面に設け、データ通信用端子のための端子開口を側面に設けている。【選択図】図１
0003181812.tif 000002
【実用新案登録請求の範囲】
【請求項１】
少なくとも２丁から構成されるデジタルカタログであって、
ひとつの丁は、映像再生機器によって再生される画像を表示可能なデジタルページと、情報が印刷された通常ページとから構成された複合丁であり、
他のページは、表裏２ページに情報が印刷された通常ページからなる通常の丁であり、
上記複合丁は、
映像再生機器と、
当該映像再生機器を包装する外枠と、
を有し、
上記映像再生機器は、
デジタルコンテンツの画像を表示可能なディスプレイと、
上記デジタルコンテンツの音源を再生可能なスピーカーと、
上記デジタルコンテンツを蓄積するメモリと、
上記デジタルコンテンツの再生動作に関する指示を受けるための操作入力部と、
上記メモリと外部機器との間で、デジタルデータの受け渡しを行うためのデータ通信用端子と、
上記デジタルコンテンツの再生動作および蓄積動作を制御するための制御回路と、
上記映像再生機器の電源である電池と、
を備え、
上記外枠は、上記デジタルディスプレイを表示するためのディスプレイ窓をひとつの面に設け、上記データ通信用端子のための端子開口を側面に設けているデジタルカタログ。
【請求項２】
少なくとも２丁から構成されるデジタルカタログであって、
ひとつの丁は、映像再生機器によって再生される画像を表示可能なデジタルページと、情報が印刷された通常ページとから構成された複合丁であり、
他のページは、表裏２ページに情報が印刷された通常ページからなる通常の丁であり、
上記複合丁は、
映像再生機器と、
当該映像再生機器を包装する外枠と、
を有し、
上記映像再生機器は、
デジタルコンテンツの画像を表示可能なタッチパネル機能を有するディスプレイと、
上記デジタルコンテンツの音源を再生可能なスピーカーと、
上記デジタルコンテンツを蓄積するメモリと、
上記メモリと外部機器との間で、デジタルデータの受け渡しを行うためのデータ通信用端子と、
上記デジタルコンテンツの再生動作および蓄積動作を制御するための制御回路と、
上記映像再生機器の電源である電池と、
を備え、
上記外枠は、上記デジタルディスプレイを表示するためのディスプレイ窓をひとつの面に設け、上記データ通信用端子のための端子開口を側面に設けているデジタルカタログ。
【請求項３】
上記ディスプレイ窓が設けられたページは、中ページである
ことを特徴とする請求項１または２に記載のデジタルカタログ。
【請求項４】
上記ディスプレイ窓が設けられたページは、第三ページである
ことを特徴とする請求項３に記載のデジタルカタログ。
【考案の詳細な説明】
【技術分野】
【０００１】
本考案は、店舗等において商品の紹介や説明に用いるカタログに関するものであり、特に液晶等のディスプレイおよびスピーカーを備え、動画や静止画を表示可能なカタログに関するものである。
【背景技術】
【０００２】
情報端末の普及により、店舗において営業担当者が顧客に商品説明をする際に、ノートパソコンやタブレット端末が広く用いられるようになった。静止画や動画を用いて説明することで、顧客の商品に対する理解を容易にしたり、商品の特長をより強く印象付けることができるためである。
【０００３】
また、静止画や動画に合わせて、ナレーションを同時に再生することで、営業担当者が不在であっても、顧客が商品の詳細な紹介を聞けるといった長所もある。さらに、音楽や効果音を用いることで、商品のイメージを向上することも可能である。
【０００４】
また、商品に関する静止画、動画、音声情報、文字情報の他、これらを検索するための検索用ソフトウェア、及び購入する商品を選択したときに電話回線を接続して自動的に商品購入に必要な情報をホストへ送信する発注用ソフトウェアを備えることで、商品の検索から注文まで行うことが可能な電子カタログが提案されている。（例えば、特許文献１）。
【先行技術文献】
【特許文献】
【０００５】
【特許文献１】特開平０８−２１２２３７
【考案の概要】
【考案が解決しようとする課題】
【０００６】
しかしながら、ノートパソコンやタブレット端末、あるいは特許文献１に開示された電子カタログにおいては、通常の紙のカタログのように、様々な商品を一目で概観するといった迅速な鳥瞰性や手軽さに欠けていた。また、端末自体の価格が高く、通信費等も必要な場合があり、コストの点で問題があった。特に、展示会のように多くの顧客への対応が必要な場合、十分な数の端末を準備することは、コスト上困難であった。
【０００７】
さらに、端末の使用に慣れていない顧客に対しては、十分に利用してもらえず、商品のアピールという観点からは、逆効果になる場合もあり、いろいろな顧客層を想定した際には、必ずしも有効な説明手段とは言えなかった。
【課題を解決するための手段】
【０００８】
本考案の請求項１に係るデジタルカタログは、少なくとも２丁から構成されるデジタルカタログであって、
ひとつの丁は、映像再生機器によって再生される画像を表示可能なデジタルページと、情報が印刷された通常ページとから構成された複合丁であり、他のページは、表裏２ページに情報が印刷された通常ページからなる通常の丁であり、
上記複合丁は、映像再生機器と、当該映像再生機器を包装する外枠とを有し、
上記映像再生機器は、デジタルコンテンツの画像を表示可能なディスプレイと、上記デジタルコンテンツの音源を再生可能なスピーカーと、上記デジタルコンテンツを蓄積するメモリと、上記デジタルコンテンツの再生動作に関する指示を受けるための操作入力部と、上記メモリと外部機器との間で、デジタルデータの受け渡しを行うためのデータ通信用端子と、上記デジタルコンテンツの再生動作および蓄積動作を制御するための制御回路と、上記映像再生機器の電源である電池とを備え、
上記外枠は、上記デジタルディスプレイを表示するためのディスプレイ窓をひとつの面に設け、上記データ通信用端子のための端子開口を側面に設けている。
【０００９】
本考案の請求項２に係るデジタルカタログは、少なくとも２丁から構成されるデジタルカタログであって、
ひとつの丁は、映像再生機器によって再生される画像を表示可能なデジタルページと、情報が印刷された通常ページとから構成された複合丁であり、他のページは、表裏２ページに情報が印刷された通常ページからなる通常の丁であり、
上記複合丁は、映像再生機器と、当該映像再生機器を包装する外枠とを有し、
上記映像再生機器は、デジタルコンテンツの画像を表示可能なタッチパネル機能を有するディスプレイと、上記デジタルコンテンツの音源を再生可能なスピーカーと、上記デジタルコンテンツを蓄積するメモリと、上記メモリと外部機器との間で、デジタルデータの受け渡しを行うためのデータ通信用端子と、上記デジタルコンテンツの再生動作および蓄積動作を制御するための制御回路と、上記映像再生機器の電源である電池とを備え、
上記外枠は、上記デジタルディスプレイを表示するためのディスプレイ窓をひとつの面に設け、上記データ通信用端子のための端子開口を側面に設けている。
【００１０】
本考案の請求項３に係るデジタルカタログは、上記ディスプレイ窓が設けられたページが中ページであることを特徴とする。
【００１１】
本考案の請求項４に係るデジタルカタログは、上記ディスプレイ窓が設けられたページが第三ページであることを特徴とする。
【考案の効果】
【００１２】
本考案に係るデジタルカタログは上記のように構成されるため、紙媒体の優れた特長を有するとともに、視覚や聴覚に対しても効果的なアピールが可能である。また、操作が極めて容易であるため、情報端末等に不慣れな人に対しても、商品の特長等を十分に説明できる。さらに、コスト面でも比較的安価であり、高額な商品の場合には、顧客に配布することも可能である。また、動画等のデータを入れ替えることで、商品ラインアップの変更にも対応できるため、長期間に渡って使用可能である。
【図面の簡単な説明】
【００１３】
【図１】本考案の実施の形態に係るデジタルカタログの模式図である。
【図２】本考案の実施の形態に係るデジタルカタログのデジタルページの説明図であり、（ａ）は外枠前面、（ｂ）は映像再生機器である。
【考案を実施するための形態】
【００１４】
実施の形態１．
本考案に係るデジタルカタログの構成等に関して、以下において、図面を用いて説明する。なお、以下の説明は本考案に関する良好な一例を開示するものであり、本考案が当該実施の形態に限定されるものではない。
【００１５】
まず、本実施の形態１に係るデジタルカタログの構成に関して、図１および図２を用いて詳細に説明する。
図１に示すように、デジタルカタログは、第一の丁１０、第二の丁２０、第三の丁３０、および第四の丁４０から構成される。ここで「丁（ちょう）」とは、書籍を構成する紙を表すために一般に用いられている単位であり、表裏２ページを１丁と呼ぶ。
【００１６】
なお、本考案の効果を得るためには、後述する複合丁と通常の丁を各１丁含む、少なくとも２丁からデジタルカタログが構成されれば良く、丁の順序や丁の数は特に制限されるものではないが、以下においては、一例として図１に示す構成に基づいて説明を進める。
【００１７】
まず、第一の丁１０は表紙ページを含む丁であり、商品や企業名等のカタログとして必要な情報を印刷した丁である。すなわち、従来から用いられている紙媒体であるカタログを構成する丁と基本的に同一である通常の丁である。
【００１８】
第一の丁１０の表裏ページは、情報を印刷した情報印刷部１１を有する。図１においては、情報印刷部１１の周囲に余白を設けているが、余白を設けずにページ全体に情報を印刷しても良い。
【００１９】
第２の丁２０は、映像再生機器２２による再生画像を表示可能なデジタルページと、情報を印刷した通常のページからなる丁であり、この丁を複合丁と呼ぶことにする。ここで、映像再生機器２２によって再生されるデジタルコンテンツである画像は、静止画であっても良いし、動画であっても良い。
【００２０】
第２の丁２０、すなわち複合丁の構成を図１および図２を用いて、さらに詳細に説明する。
複合丁は、映像再生機器２２とそれを入れるための、例えば、直方体状のケースである外枠２１とからなる。
【００２１】
映像再生機器２２は、厚さ８ｍｍ程度であって、内部のメモリに蓄積されているデジタルコンテンツを再生可能な機器である。外枠２１は、この映像再生機器２２をちょうど納めることが可能な大きさのケースであり、厚紙等で構成される。
【００２２】
図２（ａ）はこの外枠２１の前面の説明図であり、（ｂ）はその内部に収納されている映像再生機器２２の説明図である。
まず、映像再生機器２２の構成について説明する。映像再生機器２２は、液晶等の薄型のディスプレイ２４、操作入力部２５、データ通信用端子２６、メモリ・制御回路部２７、スピーカー２８、および電池２９を備えている。
【００２３】
操作入力部２５は、デジタルコンテンツの再生に際して、電源のＯＮ−ＯＦＦ，再生の開始や停止、巻き戻しや早送り、スキップ送り、あるいは音量の調整等を行う入力部であり、指で各スイッチを押すことで、所望の操作が行える。
【００２４】
データ通信用端子２６は、ＵＳＢ（Ｕｎｉｖｅｒｓａｌ  Ｓｅｒｉａｌ  Ｂｕｓ）端子等のデーター・バス用の端子である。この端子を用いて、パソコンやＢＤ（Ｂｌｕ−ｒａｙ  Ｄｉｓｃ）プレーヤーと映像再生機器２２を接続し、新しいデジタルコンテンツを映像再生機器２２に蓄積したり、映像再生機器２２に蓄積されているデジタルコンテンツを消去したりすることができる。
【００２５】
メモリ・制御回路部２７は、デジタルコンテンツを蓄積するためのメモリと、再生動作や蓄積動作を制御するための制御回路から構成されている。メモリとしては、フラッシュ・メモリ等の不揮発性メモリが用いられる。また、制御回路としては、ＤＶＤ（Ｄｉｇｉｔａｌ  Ｖｅｒｓａｔｉｌｅ  Ｄｉｓｃ）プレーヤーやＢＤプレーヤー用の汎用ＩＣが用いられる。
スピーカー２８は、薄型のスピーカであり、平面型等のスピーカーである。また、電池２９は薄型のボタン電池が望ましい。ＵＳＢ端子等から充電可能な充電池であっても良い。
【００２６】
次に、外枠２１の構成について説明する。外枠２１は、上述したように、厚紙等で形成された直方体状等のケースであり、その前面には、ディスプレイ窓２４ａ、操作表示２５ａ、および、必要に応じて情報を印刷した情報印刷部２３が設けられる。
【００２７】
ディスプレイ窓２４ａは、ディスプレイ２４と同じ大きさ、あるいは少し小さめの開口であり、ディスプレイ２４に表示される画像が見えるようにするために設けられる。したがって、映像再生機器２２を外枠２１に収納した際に、ディスプレイ２４の位置とディスプレイ窓２４ａの位置が略一致するようになっている。
【００２８】
操作表示２５ａは、映像再生機器２２を外枠２１に収納した際に、操作入力部２５の直上に位置するように設けられる。そして、操作入力部２５の、例えば、再生スイッチ上には再生を表す三角マークを、停止スイッチ上には停止を表す四角マークを位置させるといったように、操作入力部２５を構成する各スイッチそれぞれに対応した位置に各スイッチの機能を表すマークを設けている。もちろん、マークの代わりに機能を示す文字を設けても良い。
【００２９】
情報印刷部２３は必要に応じて設けられ、映像再生機器２２で再生するデジタルコンテンツに関連する情報を表示しても良いし、企業のイメージ等に関する情報を印刷しても良い。
【００３０】
また、図１に示すように、外枠２１の側面のデータ通信用端子２６に対応する位置には、端子開口２６ａが開けられている。この開口を設けることで、外枠２１から映像再生機器２２を取り出さなくても、ＵＳＢ等の接続コードを接続することができる。
【００３１】
図２（ａ）に示した外枠２１の前面ページと反対側のページには、情報が普通に印刷される。すなわち、もうひとつのページは通常のページである。
このように、複合丁である第２の丁２０は、映像再生機器２２によって再生される画像を表示可能なデジタルページと、情報を印刷した通常のページからなる複合化された丁である。
【００３２】
最後に、第３の丁３０および第４の丁４０の構成について説明する。これらの丁は、第一の丁１０と同様に、表裏ページに情報を普通に印刷した情報印刷部１１を有する通常ページのみからなる通常の丁である。
カタログに記載したい情報の量等に応じて、さらに丁を増やしても良いし、逆に、掲載したい情報量が少ない場合には、第３の丁３０および第４の丁４０を設けなくても良い。
【００３３】
なお、上述したように、丁の並びの順番や丁の数は、本実施の形態１に開示したものに限定されるものではない。ただし、ディスプレイ窓２４ａを有するページは、表表紙や裏表紙ではなく、中ページにあることが望ましい。表表紙や裏表紙にディスプレイ窓２４ａを有するページがあると、ディスプレイ２４がむき出しになり、表面に傷が付きやすい。
さらに望ましくは、ディスプレイ窓２４ａを有するページが第３ページにあることである。このようにすると、顧客が表紙をめくった際にディスプレイ２４が現れるので、より興味を持って映像を閲覧してくれる可能性が高まるためである。
【００３４】
次に、デジタルカタログの映像再生機器２２にデジタルコンテンツを蓄積する動作について説明する。
まず、パソコン等にデジタルカタログ用のアプリケーションをインストールする。インストールは、ＣＤ−ＲＯＭ等の記録メディアを用いて行っても良いし、インターネットからダウンロードしてインストールしても良い。
【００３５】
次に、ＵＳＢケーブル等により、データ通信用端子２６とパソコン等を接続する。パソコン等が映像再生機器２２を認識した後、上記のアプリケーションを起動し、映像再生機器２２で再生させたいデジタルコンテンツをパソコン等から映像再生機器２２に送信する。
上記の動作により、映像再生機器２２で所望のデジタルコンテンツが再生可能となる。
【００３６】
次に、デジタルカタログの使用例について説明する。
映像再生機器２２で再生するデジタルコンテンツとしては、企業イメージを表現するコンテンツや、各商品を詳細に説明するための商品ごとのコンテンツ等が考えられる。以下、いくつかの使用例について説明する。
【００３７】
＜使用例１＞
デジタルカタログが企業のすべての商品を紹介した総合カタログである場合であって、通常のページには、各商品ごとの説明が掲載される。一方、デジタルコンテンツは、企業の理念の説明や積極的な社会貢献活動等を紹介する映像が記録されたコンテンツであり、企業イメージ向上のために用いる。映像と音声により、企業の特長を強く顧客に印象付けることが可能である。
【００３８】
＜使用例２＞
通常のページには、同様に各商品ごとの説明が掲載される。一方、デジタルコンテンツは、各商品ごとの複数の説明用コンテンツを蓄積しておき、スキップ送りにより、顧客が興味を持つ商品のコンテンツを選択して見ることができるようにする。このような構成にすることで、紙媒体の持つ鳥瞰性を活かして、顧客に興味ある商品を迅速に見つけ出してもらうことが可能であり、その後に、動画等の映像により、その商品の理解を深め、且つ特徴の印象付けが可能となる。
【００３９】
＜使用例３＞
通常のページには、同様に各商品ごとの説明が掲載される。そして、企業が今後拡販を目指す新製品をデジタルコンテンツとして動画で紹介する。例えば、新製品の発表展示会等では、有効な使用例である。
【００４０】
＜使用例４＞
店舗が季節商品を扱う場合、例えば、店舗がスポーツショップである場合、通常のページには、店舗で扱うすべての製品を掲載し、デジタルコンテンツとしては、現在の季節に売れ筋の商品の紹介用動画を用いる。例えば、冬にはスキーやスノボー用品を、夏にはビーチで用いる商品の紹介用動画を用いる。
【００４１】
＜使用例５＞
企業が長年継続して販売する商品については通常のページに掲載し、短期的に扱う企画商品については動画で紹介する。このような構成にすることで、短期的に扱う企画商品に関するデジタルコンテンツを入れ替えることで、カタログ全体を作り直すことなく、長期間に渡って使用できる。
【００４２】
以上に述べたデジタルカタログの構成や動作、使用例を踏まえ、本考案の特徴について以下にまとめる。
まず、技術的背景として、映像再生機器の薄型化と低価格化が著しく進展したことがある。特に低価格化は顕著であり、同様に低価格化が進む情報携帯端末と比較しても、価格は１０分の一程度と、映像再生機器の低価格化は極めて顕著である。
【００４３】
また、データ通信に関しては、ＵＳＢ等のデータ通信規格が統一され、パソコンやＢＤプレーヤに標準的に装備され、簡単に用いることができるようになった。
本考案は、上記のような技術的背景を勘案してなされたものであり、従来のカタログよりもわずか程度の厚みの増加、リーズナブルなコストで、顕著に優れたカタログを提供するものである。
【００４４】
すなわち、紙媒体である従来のカタログの持つ特長である鳥瞰性や手軽さを維持しつつ、映像を併せて用いることで、大量の情報量を持つデジタルカタログを提供することが可能となる。デジタルコンテンツの有する大量の情報量は、商品説明の詳細化や具体化を実現し、また、特長やイメージを視覚および聴覚を通じて、顧客にアピールすることをも実現できる。
【００４５】
そして、ＵＳＢ等のデータ通信用端子を利用して、簡単にデジタルコンテンツの入れ替えができるため、カタログの使用の自由度が向上し、様々な目的での効率的な使用が可能となる。この結果、状況や季節を考慮した最適な顧客へのアピールが可能となり、また、カタログを作り直すことなく、長期間に渡って使用することができるようになる。
【００４６】
また、情報携帯端末のように複雑な操作を必要としないため、すべての顧客層に効果的なアピールが可能である。
さらに、コスト的にもリーズナブルであるため、導入が容易であり、商品が高級品である場合には、顧客に配布することも可能であるため、一層の拡販に貢献できる可能性を有している。
【００４７】
実施の形態２．
本考案の実施の形態２に係るデジタルカタログについて以下に説明する。
実施の形態１で開示したデジタルカタログと構成上異なる点は、ディスプレイ２４としてタッチパネル機能を有するディスプレイを用いたこと、および、操作入力部２５を無くし、あるいは、操作入力部２５を最小限のスイッチ構成とし、主な操作をタッチパネル機能により行うようにしたことである。
【００４８】
このように構成することで、より直感的な操作が可能になると同時に、操作表示２５ａが不要になる、あるいは最小限の表示にできることで、デザイン的にスッキリとした好印象のデジタルカタログを得ることができる。
【符号の説明】
【００４９】
１０  第一の丁  
１１  情報印刷部  
２０  第二の丁  
２１  外枠  
２２  映像再生機器
２３  情報印刷部  
２４  ディスプレイ  
２４ａ  ディスプレイ窓  
２５  操作入力部  
２５ａ  操作表示  
２６  データ通信用端子  
２６ａ  端子開口  
２７  メモリ・制御回路部  
２８  スピーカー  
２９  電池  
３０  第三の丁  
４０  第四の丁
【図１】
0003181812.tif 000003
【図２】
0003181812.tif 000004